(57)【要約】      （修正有）【課題】施工の手戻りがなく工期短縮が可能で、建物解体時の外壁パネル解体作業を容易に行うことができる外壁パネルと鋼製基礎間接合ボルトの取付構造を提供する。【解決手段】上下にフランジ２ａ，２ｂを有する形鋼からなる鋼製基礎２上に、外壁パネル４の柱脚接合プレート９を配置し、この柱脚接合プレート９を、鋼製基礎２の上フランジ２ａおよび柱脚接合プレート９に設けられたボルト孔間に挿通される接合ボルト１２，１３により、鋼製基礎２上に接合する。接合ボルト１３は上端を上フランジ２ａに設けられたボルト孔に挿通して上フランジ２ａの上方に突出させ、下端を下面にプレート１４ａが設けられた支持ナット１４を螺合させ、この支持ナット１４を下フランジ２ｂの上面に配置する。上フランジ２ａの下側で接合ボルト１３に２個の下側ナット１５を螺合させて、これら２個の下側ナット１５を、上フランジ２ａの下面に押し状態に締め付ける。【選択図】図２
2008297865.tif 000002
【特許請求の範囲】
【請求項１】
上下にフランジを有する形鋼からなる鋼製基礎上に、外壁パネルの立フレーム材の下端に設けられた柱脚接合プレートを配置し、上記鋼製基礎の上フランジおよび上記柱脚接合プレートに設けられたボルト孔間に渡って挿通される接合ボルトにより接合する接合ボルトの取付構造であって、
上記接合ボルトを寸切りボルトとし、この接合ボルトは上記鋼製基礎の上フランジに設けられた上記ボルト孔に挿通して上端を上フランジの上方に突出させ、かつこの接合ボルトの下端に、下面にプレートが設けられた支持ナットを螺合させ、この支持ナットを上記鋼製基礎の下フランジの上面に配置し、上記上フランジの下側で上記接合ボルトに２個の下側ナットを螺合させて、これら２個の下側ナットを、上記上フランジの下面に押し状態に締め付けたことを特徴とする外壁パネルと鋼製基礎間接合ボルトの取付構造。
【請求項２】
請求項１に記載の外壁パネルと鋼製基礎間接合ボルトの取付構造を用いた土間コンクリート施工方法であって、上記接合ボルトが上記鋼製基礎に上記支持ナットおよび上記下側ナットを用いて取付けられかつ上記外壁パネルが未施工の状態で、上記接合ボルトの鋼製基礎の上フランジから突出した部分に型枠支持用金物を取付け、上記鋼製基礎の上面に長手方向に沿って配置される土間小口コンクリート止め型枠のうち、上記外壁パネルの上記立フレーム材を避ける柱型避け凹部を土間コンクリートに形成するための柱型部コンクリート止め型枠を上記型枠支持用金物に取付け、土間コンクリートを打設することを特徴とする外壁パネル・鋼製基礎使用建物の土間コンクリート施工方法。
【発明の詳細な説明】
【技術分野】
【０００１】
この発明は、主に、店舗や、事務所、倉庫など、移築などが必要となる建物に適用される外壁パネルと鋼製基礎間接合ボルトの取付構造に関する。
【背景技術】
【０００２】
鋼製基礎上に外壁パネルを配置した鉄骨建物の施工においては、その鋼製基礎上へ外壁パネルを固定する作業に先行して、建屋内の地業工事を実施し内部足場を組む施工方法が、作業性と安全面の観点から有利であり、よく行われている。
この施工方法の場合、図１１および図１２に示すように、上下にフランジ３２ａ，３２ｂを有する形鋼からなる鋼製基礎３２の上に、外壁パネル３４の立フレーム材３８の下端に設けられた柱脚接合プレート３９を配置し、鋼製基礎３２の上フランジ３２ａおよび柱脚接合プレート３９に設けられたボルト孔（図示せず）にわたって接合ボルト４２，４３を挿通することで、この接合ボルト４２，４３により外壁パネル３４を鋼製基礎３２上に接合する。
【発明の開示】
【発明が解決しようとする課題】
【０００３】
しかし、上記施工においては、鋼製基礎３２上への外壁パネル３４の接合作業を可能とするために、その接合作業に先行して行われる建屋内の地業工事において、鋼製基礎３２の際部まで土砂を埋め戻すことができないので、地業工事に手戻りが生じる。
【０００４】
このような不具合を回避するために、鋼製基礎３２の上フランジ３２ａの建屋内側に片寄った位置のボルト孔（図示せず）に挿通する接合ボルト４３について、図１３に示すように予め前記ボルト孔に挿通させておく。そのボルト頭部を、例えば粘着テープで上フランジ３２ａの下面に貼り付けるなどして仕込んでおいてから、建屋内の地業工事を行うことも考えられる。この場合、鋼製基礎３２の際部に土間地業止め部材４６を設置して、地業工事において鋼製基礎３２の接合ボルト４３が仕込まれた箇所まで土砂４７が埋め戻されないようにされる。
【０００５】
しかし、この場合、接合ボルト４３の仕込みが非常に不確実であるばかりか、接合作業において、接合ボルト４３の頭部側を押えてボルト締めを行うこともできないので、接合ボルト４3 に共回りが生じた場合、対処できないという問題がある。さらに、鋼製基礎３２は溶融亜鉛めっき加工される場合は、接合ボルト４３の仕込み方法として溶接などで先付けすることも困難である。
【０００６】
また、移築などを目的とした建物の解体工事において、外壁パネル３４の解体は土間解体に先行して実施されるため、その解体作業において建屋内側に片寄った位置の接合ボルト４３の頭部を押えられないことから、接合ボルト４３に共回りが生じてしまい、外壁パネル３４の解体が困難になるという問題もある。
【０００７】
この発明の目的は、施工の手戻りがなく工期短縮が可能で、建物解体時の外壁パネル解体作業を容易に行うことができる外壁パネルと鋼製基礎間接合ボルトの取付構造を提供することである。
この発明の他の目的は、上記外壁パネルと鋼製基礎間接合ボルトの取付構造を利用して土間コンクリート施工を容易に行うことのできる外壁パネル・鋼製基礎使用建物の土間コンクリート施工方法を提供することである。
【課題を解決するための手段】
【０００８】
この発明の外壁パネルと鋼製基礎間接合ボルトの取付構造は、上下にフランジを有する形鋼からなる鋼製基礎上に、外壁パネルの立フレーム材の下端に設けられた柱脚接合プレートを配置し、上記鋼製基礎の上フランジおよび上記柱脚接合プレートに設けられたボルト孔間に渡って挿通される接合ボルトにより接合する接合ボルトの取付構造であって、上記接合ボルトを寸切りボルトとし、この接合ボルトは上記鋼製基礎の上フランジに設けられた上記ボルト孔に挿通して上端を上フランジの上方に突出させ、かつこの接合ボルトの下端に、下面にプレートが設けられた支持ナットを螺合させ、この支持ナットを上記鋼製基礎の下フランジの上面に配置し、上記上フランジの下側で上記接合ボルトに２個の下側ナットを螺合させて、これら２個の下側ナットを、上記上フランジの下面に押し状態に締め付けたことを特徴とする。前記下側ナットは２個設けられて二重ナットとされるため、緩み止め作用が得られる。
このように、接合ボルトを鋼製基礎に仕込んだ後で、建屋内部に足場を組む上での作業性と安全面を考慮して、外壁パネルの鋼製基礎上への接合作業に先行して建屋内の地業工事を行う。外壁パネルの接合作業では、接合ボルトが、上記したように支持ナットと２個の下側ナットとで鋼製基礎の上下フランジ間に仕込まれているので、接合ボルトの共回りが生じず、鋼製基礎上に柱脚接合プレートが確実に締結される。その結果、従来のように、建屋内の地業工事に手戻りがなくなり、工期短縮が可能となる。
また、このようにして建てられた鉄骨建物を移築するために解体する場合、外壁パネルの解体は土間解体に先行して行われるが、外壁パネル解体時に建屋内側の接合ボルトについてはボルト頭部を押えるなどの共回り防止策を施すことができない。しかし、この場合にも、上記した取付け構造により接合ボルトが鋼製基礎に仕込まれていることから、接合ボルトの上端に螺合する上側ナットを緩めるときに、接合ボルトが共回りすることがなく、その解体作業を容易に行うことができる。
【０００９】
この発明の外壁パネル・鋼製基礎使用建物の土間コンクリート施工方法は、この発明のの外壁パネルと鋼製基礎間接合ボルトの取付構造を用いた土間コンクリート施工方法であって、上記接合ボルトが上記鋼製基礎に上記支持ナットおよび上記下側ナットを用いて取付けられかつ上記外壁パネルが未施工の状態で、上記接合ボルトの鋼製基礎の上フランジから突出した部分に型枠支持用金物を取付け、上記鋼製基礎の上面に長手方向に沿って配置される土間小口コンクリート止め型枠のうち、上記外壁パネルの上記立フレーム材を避ける柱型避け凹部を土間コンクリートに形成するための柱型部コンクリート止め型枠を上記型枠支持用金物に取付け、土間コンクリートを打設することを特徴とする。
この施工方法によると、鋼製基礎の上に外壁パネルを接合するために鋼製基礎に仕込まれる接合ボルトを、型枠取付け用の治具に兼用できるので、治具を多用することなく、土間コンクリート施工を容易に行うことができる。
【発明の効果】
【００１０】
この発明の外壁パネルと鋼製基礎間接合ボルトの取付構造は、上下にフランジを有する形鋼からなる鋼製基礎上に、外壁パネルの立フレーム材の下端に設けられた柱脚接合プレートを配置し、上記鋼製基礎の上フランジおよび上記柱脚接合プレートに設けられたボルト孔間に渡って挿通される接合ボルトにより接合する接合ボルトの取付構造であって、上記接合ボルトを寸切りボルトとし、この接合ボルトは上記鋼製基礎の上フランジに設けられた上記ボルト孔に挿通して上端を上フランジの上方に突出させ、かつこの接合ボルトの下端に、下面にプレートが設けられた支持ナットを螺合させ、この支持ナットを上記鋼製基礎の下フランジの上面に配置し、上記上フランジの下側で上記接合ボルトに２個の下側ナットを螺合させて、これら２個の下側ナットを、上記上フランジの下面に押し状態に締め付けたため、施工の手戻りがなく、工期短縮が可能となる。
この発明の外壁パネル・鋼製基礎使用建物の土間コンクリート施工方法は、この発明の外壁パネルと鋼製基礎間接合ボルトの取付構造を用いた土間コンクリート施工方法であって、上記接合ボルトが上記鋼製基礎に上記支持ナットおよび上記下側ナットを用いて取付けられかつ上記外壁パネルが未施工の状態で、上記接合ボルトの鋼製基礎の上フランジから突出した部分に型枠支持用金物を取付け、上記鋼製基礎の上面に長手方向に沿って配置される土間小口コンクリート止め型枠のうち、上記外壁パネルの上記立フレーム材を避ける柱型避け凹部を土間コンクリートに形成するための柱型部コンクリート止め型枠を上記型枠支持用金物に取付け、土間コンクリートを打設するものとしたため、治具を多用することなく、土間コンクリート施工を容易に行うことができる。
【発明を実施するための最良の形態】
【００１１】
この発明の一実施形態を図１ないし図５と共に説明する。図１は、この発明が適用される鉄骨建物の建方途中の状態を斜視図で示したものである。この鉄骨建物は、基礎１の上に外壁パネル４を設置した構造のものである。基礎１は、図２に断面図で示すように、鋼製基礎２と、その下側に設けられたコンクリート基礎３からなる。鋼製基礎２は、上下にフランジ２ａ，２ｂを有する形鋼からなる。図３に示すように、前記コンクリート基礎３に埋め込まれたアンカーボルト５の上端部を、鋼製基礎２の下フランジ２ｂに設けられたボルト孔６に挿通して、そのアンカーボルト５の上端部に螺合させたナット７で下フランジ２ｂをコンクリート基礎３の上面に締結することにより、鋼製基礎２がコンクリート基礎３の上に緊結される。なお、アンカーボルト５は、コンクリート基礎３の上面に孔を開けて埋め込むホールインアンカでも良い。コンクリート基礎３を省略して、地盤上に直接に鋼製基礎２を設置することで基礎１としても良い。基礎１を上記のように鋼製基礎２とコンクリート基礎３からなるものとした場合、鋼製基礎２は、「土台」と呼ばれる場合もある。
【００１２】
外壁パネル４の立フレーム材８の下端には柱脚接合プレート９が設けられ、この柱脚接合プレート９には、図４に示すようにボルト孔１０が設けられる。図５に示すように、前記柱脚接合プレート９は鋼製基礎２の上に配置され、鋼製基礎２の上フランジ２ａに設けられたボルト孔１１（図３）と前記柱脚接合プレート９のボルト孔１０の間に渡って挿通される接合ボルト１２，１３により、柱脚接合プレート９が鋼製基礎２上に接合される。  
【００１３】
図２のように、前記接合ボルト１２，１３のうち、鋼製基礎２の上フランジ２ａにおける建屋内部側に位置するボルト孔１１に挿通される接合ボルト１３は、全長に渡ってねじ溝が切られたボルトである寸切りボルトとされる。この接合ボルト１３は、鋼製基礎２の上フランジ２ａに設けられたボルト孔１１に挿通して上端を上フランジ２ａの上方に突出させ、かつこの接合ボルト１３の下端に、下面にプレート１４ａが設けられた支持ナット１４を螺合させ、この支持ナット１４を鋼製基礎２の下フランジ２ｂの上面に配置する。さらに、この接合ボルト１３には、鋼製基礎２の上フランジ２ａの下側で２個の下側ナット１５を螺合させて、これら２個の下側ナット１５を前記上フランジ２ａの下面に押し状態に締め付ける。上記２個の下側ナット１５のうちの上側のものは、一般に二重ナットで行われるように締め戻すことで、ねじ溝間の隙間を無くすことによる緩み止めを行う。これにより、接合ボルト１３が鋼製基礎２に仕込まれる。
【００１４】
建屋内部に足場を組む上での作業性と安全面を考慮して、建屋内の地業工事が、図２のように接合ボルト１３を鋼製基礎２に仕込んだ後で、外壁パネル４の鋼製基礎２上への接合作業に先行して行われる。この地業工事では、鋼製基礎２の建屋内側において、上下フランジ２ａ，２ｂ間にまたがる板状の土間地業止め部材１６を設置してから、土砂１７の埋め戻しが行われる。
【００１５】
外壁パネル４の接合作業では、鋼製基礎２の上フランジ２ａの上方に突出する前記接合ボルト１３の上端を、柱脚接合プレート９の対応するボルト孔１０（図４）に挿通させることで、上フランジ２ａ上に柱脚接合プレート９を配置する。ついで、図５のように、柱脚接合プレート９の上方に突出する接合ボルト１３の上端に２個の上側ナット１８を螺合させる。このように、２個の上側ナット１８で柱脚接合プレート９を鋼製基礎２の上に締結することで、上側ナット１８の緩み止めが図られる。このとき、接合ボルト１３は、上記したように支持ナット１４と２個の下側ナット１５とで鋼製基礎２の上下フランジ２ａ，２ｂ間に仕込まれているので、接合ボルト１３の共回りは生じない。柱脚接合プレート９の外側の部分についても、上フランジ２ａの建屋側に位置するボルト孔１１から、これに整合する柱脚接合プレート９のボルト孔１０に渡って、上フランジ２ａの下側から接合ボルト１２を挿通し、柱脚接合プレート９の上側に突出する接合ボルト１２に２個の上側ナット１８を螺合させる。これにより、鋼製基礎２の上に柱脚接合プレート９が確実に締結される。その結果、従来のように、建屋内の地業工事に手戻りがなくなり、工期短縮が可能となる。
【００１６】
また、このようにして建てられた鉄骨建物を移築するために解体する場合、外壁パネル４の解体は土間解体に先行して行われるが、外壁パネル４の解体時に建屋内側の接合ボルト１３についてはボルト頭部を押えるなどの共回り防止策を施すことができない。しかし、この場合にも、上記した取付け構造により接合ボルト１３が鋼製基礎２に仕込まれていることから、接合ボルト１３の上端に螺合する上側ナット１８を緩めるときに、接合ボルト１３が共回りすることがなく、その解体作業を容易に行うことができる。
【００１７】
図６ないし図１０には、上記した外壁パネル４と鋼製基礎２とを接合する接合ボルト１３の鋼製基礎２の取付構造を用いた土間コンクリート２０（図８）の施工方法の一実施形態を示す。この施工では、先に図２で示したように接合ボルト１３が鋼製基礎２に仕込まれて、かつ外壁パネル４が未施工の状態で、先ず鋼製基礎２の上フランジ２ａから突出した接合ボルト１３の上端に、図６に示すように、ボルト孔（図示せず）を有する型枠支持用金物２１を取付ける。ここでは，型枠支持用金物２１として山形鋼の切片が用いられ、同じくボルト孔（図示せず）を有する座板２２と共に前記接合ボルト１３の上端に挿入してからナット２３を螺合させることで、型枠支持用金物２１をその立片２１ａが建屋内に向く姿勢で鋼製基礎２の上に締結する。なお、座板２２は、必ずしも設けなくてもよい。
【００１８】
鋼製基礎２の上面には、長手方向に沿って土間小口コンクリート止め型枠２４を配置する。土間小口コンクリート止め型枠２４は、外壁パネル４の立フレーム材８を避ける柱型避け凹部２０ａを土間コンクリート２０（図１０）に形成するための柱型部コンクリート止め型枠２４Ａと、土間コンクリート２０の小口他部を形成するための平坦部コンクリート止め型枠２４Ｂとでなる。
【００１９】
柱型部コンクリート止め型枠２４Ａは、図７に鎖線で示すように、水平断面がハット形の板部材からなり、その両側のフランジ状面部２４Ａｂに対して段差をなす主面部２４Ａａが、型枠支持用金物２１の立片２１ａに沿って建屋内側に位置するように、鋼製基礎２の上に取付ける。
【００２０】
平坦部コンクリート止め型枠２４Ｂは、図９に示すように、縦断面概形がＬ字状の板部材からなり、その立面部２４Ｂａの長手方向端部を前記柱型部コンクリート止め型枠２４Ａのフランジ状面部２４Ａｂに重ねた状態で、鋼製基礎２の上に取付ける。平坦部コンクリート止め型枠２４Ｂの水平面部２４Ｂｂの先端には下向きの係合片２４Ｂｃが形成され、この係合片２４Ｂｃは鋼製基礎２の上フランジ２ａの建屋内側の端部に係合する。
平坦部コンクリート止め型枠２４Ｂの取付けでは、その型枠の長手方向中間部において、図８のように縦断面Ｌ字状の押し付け治具２５を鋼製基礎２の上に設置し、その押し付け治具２５の立片２５ａを、建屋外側から平坦部コンクリート止め型枠２４Ｂの立面部２４Ｂａに押し当てる。押し付け治具２５は、その水平片２５ｂを、鋼製基礎２の上フランジ２ａと共に、建屋外側からクリップ２６で挟むことにより、鋼製基礎２の上に取付ける。
【００２１】
このようにして、鋼製基礎２の上に土間小口コンクリート止め型枠２４を配置した状態で、型枠内にコンクリートを打設することで、土間コンクリート２０が成形される。柱型部コンクリート止め型枠２４Ａは、土間コンクリート２０の成形後、そのまま残される。図１０は、土間コンクリート２０の小口に形成される柱型避け凹部２０ａの斜視図を示し、柱型部コンクリート止め型枠２４Ａは、同図のように残されている。
【００２２】
この後、接合ボルト１３の上端から型枠支持用金物２１および座板２２を抜き取ることで、図１〜図５に示した施工により、鋼製基礎２の上に外壁パネル４を取付けることができる。
【００２３】
このように、上記した土間コンクリート施工方法によると、鋼製基礎２の上に外壁パネル４を接合するために鋼製基礎２に仕込まれる接合ボルト１３を、型枠取付け用の治具に兼用できるので、治具を多用することなく、土間コンクリート施工を容易に行うことができる。
【図面の簡単な説明】
【００２４】
【図１】この発明が適用される鉄骨建物の建方途中の状態を示す斜視図である。
【図２】この発明の一実施形態にかかる外壁パネルと鋼製基礎間接合ボルトの取付構造の外壁パネル接合前の状態を示す断面図である。
【図３】外壁パネル接合前の鋼製基礎を示す斜視図である。
【図４】外壁パネルの接合作業途中の状態を示す斜視図である。
【図５】外壁パネルを鋼材基礎に接合した状態を示す断面図である。
【図６】接合パネル接合前の鋼製基礎上に型枠支持用金物を取付けた状態を示す斜視図である。
【図７】鋼製基礎上に土間小口コンクリート止め型枠のうちの柱型部コンクリート止め型枠を取付けた状態を示す斜視図である。
【図８】鋼製基礎上に土間小口コンクリート止め型枠を取付けて土間コンクリートを打設した状態を示す断面図である。
【図９】鋼製基礎上に土間小口コンクリート止め型枠のうちの平坦部コンクリート止め型枠を取付けた状態を示す斜視図である。
【図１０】土間コンクリート打設後の鋼製基礎上に柱型部コンクリート止め型枠が残された状態を示す斜視図である。
【図１１】鋼製基礎上に外壁パネルを接合する施工の従来例の説明図である。
【図１２】同施工による鋼製基礎上への外壁パネルの取付構造を示す斜視図である。
【図１３】鋼製基礎上に外壁パネルを接合する施工の提案例の説明図である。
【符号の説明】
【００２５】
１…基礎
２…鋼製基礎
２ａ…上フランジ
２ｂ…下フランジ
４…外壁パネル
８…外壁パネルの立フレーム材
９…柱脚接合プレート
１２，１３…接合ボルト
１４…支持ナット
１４ａ…支持ナットのプレート
１５…下側ナット
１８…上側ナット
２０…土間コンクリート
２１…型枠支持用金物
２４…土間小口コンクリート止め型枠
２４Ａ…柱型部コンクリート止め型枠
【図１】
2008297865.tif 000003
【図２】
2008297865.tif 000004
【図３】
2008297865.tif 000005
【図４】
2008297865.tif 000006
【図５】
2008297865.tif 000007
【図６】
2008297865.tif 000008
【図７】
2008297865.tif 000009
【図８】
2008297865.tif 000010
【図９】
2008297865.tif 000011
【図１０】
2008297865.tif 000012
【図１１】
2008297865.tif 000013
【図１２】
2008297865.tif 000014
【図１３】
2008297865.tif 000015